(57)【要約】      （修正有）【課題】ピンチアウト（拡大）操作およびピンチイン（縮小）操作を可能とするタッチペンを提供する。【解決手段】タッチペンは、半円柱型の二本のタッチペンの一端を開閉自在に固定した本体と、二本のタッチペンの先端に設置されたペン先部材３と、本体に設置した２つのリング部材と、を備える。リング部材は、タッチペン本体に略直角向きに設置された親指用リング部材１と、同じくタッチペン本体に略直角向きに設置された人差し指用リング部材２である。また、ペン先部材は、空洞を有する導電性ゴム４からなる。さらに、タッチペン本体は閉じた状態であたかも一本のペンであるかのように使用できるよう、両側にピン（接続ピン５）と、ポリエチレン製キャップ７が仕込まれたピン穴６を配置し、それを用いての左右の結合を可能とする。【選択図】図１
2020201919.tif 000002
【特許請求の範囲】
【請求項１】
タブレット端末やスマートフォン等の液晶画面に入力する際に使用する入力用タッチペンであって、
半円柱型の二本のタッチペンの一端を開閉自在に固定した本体と
前記の二本のタッチペンの先端に設置されたペン先部材と、
前記の本体に設置した２つのリング部材を備えることを特徴とする入力用タッチペン。
【請求項２】
前記リング部材は、前記タッチペン本体に前記タッチペン本体と略直角向きに設置された親指用リング部材と、
同じく前記タッチペン本体に前記タッチペン本体と略直角向きに設置された人差し指用リング部材であることを特徴とする請求項１に記載の入力用タッチペン。
【請求項３】
前記ペン先部材は、空洞を有する導電性ゴムからなることを特徴とする請求項１または請求項２に記載の入力用タッチペン。
【請求項４】
前記タッチペン本体は閉じた状態であたかも一本のペンであるかのように使用できるよう、両側にピンとピン穴が配置され、それを用いて左右を接合し、その接合の強度を人の指の力で軽く接合を外し、また再度接合が可能な程度のものとするためにピン穴にポリエチレン製のキャップが仕込まれていることを特徴とする請求項１、請求項２または請求項３に記載の入力用タッチペン。
【発明の詳細な説明】
【技術分野】
【０００１】  本発明は、タブレット端末やスマートフォン等の液晶画面に入力する際に使用する入力用タッチペンに関する。さらに言えば、従来型の入力用タッチペンでは行うことができなかったピンチアウト（拡大）操作、及びピンチイン（縮小）操作についても行うことができる入力用タッチペンに関する。
【背景技術】
【０００２】  タブレット端末やスマートフォン等の液晶画面に、文字等を入力しようとする際、液晶画面に表示されるキーボードは非常に細かく、指を使って文字を入力しようとすればミスタイプが増えてしまうため、非常に細かい液晶画面に表示されるキーボードのボタンを間違いなく押すことができるように入力用タッチペンが開発された。入力用タッチペンを使用すれば、タブレット端末やスマートフォン等の液晶画面へ文字や絵を書くことによる「手書き入力」をする場合や、ネイルを楽しんでいるような爪の長い女性、指先の機能が衰えた高齢者など、指を使った入力が困難な者が快適にタブレット端末やスマートフォン等の液晶画面に入力できるという利点もある。
【先行技術文献】
【０００３】
【特許文献】
【特許文献】特開２０１８−３２３０７
【発明の概要】
【発明が解決しようとする課題】
【０００４】  従来型のタッチペンではピンチアウト（拡大）操作、ピンチイン（縮小）操作を行うことができなかった。このため、ネイルを楽しんでいるような女性や指先の機能の低下した高齢者等、指を使った操作が困難な者のタブレット端末やスマートフォン等の液晶画面の操作を補助するというタッチペンの機能を十分に果たすことができず、この点が従来型のタッチペンの課題であった。
【課題を解決するための手段】
【０００５】  上記の課題を解決する手段として半円柱型の二本のタッチペンの一端を開閉自在に固定した本体と前記の二本のタッチペンの先端に設置されたペン先部材と、前記の本体に設置した２つのリング部材を備えたタッチペンを提案する。前述のリング部材は、前記タッチペン本体に略直角向きに設置された親指用リング部材と、同じく前記タッチペン本体に略直角向きに設置された人差し指用リング部材であり、また、前記ペン先部材は、空洞を有する導電性ゴムからなる。さらに、前記タッチペン本体は閉じた状態であたかも一本のペンであるかのように使用できるよう、両側にピンとピン穴が配置され、それを用いて左右を接合し、その接合の強度を人の指の力で軽く接合を外し、また再度接合が可能な程度のものとするためにピン穴にポリエチレン製のキャップが仕込まれていることを特徴とする。
【発明の効果】
【０００６】  本発明は従来型のタッチペンでは不可能だったピンチアウト（拡大）操作とピンチイン（縮小）操作を可能としている。これは、液晶画面を操作する際に使用する指先の機能を完全に代替しているといってよい。タブレット端末やスマートフォンといった機器がマルチタッチパネルを用いるディスプレイへ直接入力する方式を採用しているのは、直感的に操作をすることが可能であるこの入力方式を採用することで、操作を容易にしようという意図があってのものであるが、操作時に使用する指先の機能を完全に代替する本発明は、タッチパネルを操作する場合の直感性において指先で操作する場合とほぼ同等であるといえる。このため、ネイルを楽しんでいる女性や、指先の機能が衰えた高齢者等の指先で直接タッチパネルを操作することが難しい者がタッチペンを使用する際でも、本発明を使用すればタブレット端末やスマートフォン等を本来の操作性で使用することができる。
【符号の説明】
【０００７】１：親指用リング部材
２：人差し指用リング部材
３：ペン先部材
４：導電性ゴム
５：接続ピン
６：ピン穴
７：ポリエチレン製キャップ
【図１】
2020201919.tif 000003
【手続補正書】
【提出日】令和1年11月15日(2019.11.15)
【手続補正２】
【補正対象書類名】明細書
【補正対象項目名】全文
【補正方法】変更
【補正の内容】
【発明の詳細な説明】
【技術分野】
【０００１】  本発明は、タブレット端末やスマートフォン等の液晶画面に入力する際に使用する入力用タッチペンに関する。さらに言えば、従来型の入力用タッチペンでは行うことができなかったピンチアウト（拡大）操作、及びピンチイン（縮小）操作についても行うことができる入力用タッチペンに関する。
【背景技術】
【０００２】  タブレット端末やスマートフォン等の液晶画面に、文字等を入力しようとする際、液晶画面に表示されるキーボードは非常に細かく、指を使って文字を入力しようとすればミスタイプが増えてしまうため、非常に細かい液晶画面に表示されるキーボードのボタンを間違いなく押すことができるように入力用タッチペンが開発された。入力用タッチペンを使用すれば、タブレット端末やスマートフォン等の液晶画面へ文字や絵を書くことによる「手書き入力」をする場合や、ネイルを楽しんでいるような爪の長い女性、指先の機能が衰えた高齢者など、指を使った入力が困難な者が快適にタブレット端末やスマートフォン等の液晶画面に入力できるという利点もある。
【先行技術文献】
【０００３】
【特許文献】
【特許文献】特開２０１８−３２３０７
【発明の概要】
【発明が解決しようとする課題】
【０００４】  従来型のタッチペンではピンチアウト（拡大）操作、ピンチイン（縮小）操作を行うことができなかった。このため、ネイルを楽しんでいるような女性や指先の機能の低下した高齢者等、指を使った操作が困難な者のタブレット端末やスマートフォン等の液晶画面の操作を補助するというタッチペンの機能を十分に果たすことができず、この点が従来型のタッチペンの課題であった。
【課題を解決するための手段】
【０００５】  上記の課題を解決する手段として半円柱型の二本のタッチペンの一端を開閉自在に固定した本体と前記の二本のタッチペンの先端に設置されたペン先部材と、前記の本体に設置した２つのリング部材を備えたタッチペンを提案する。前述のリング部材は、前記タッチペン本体に略直角向きに設置された親指用リング部材と、同じく前記タッチペン本体に略直角向きに設置された人差し指用リング部材であり、また、前記ペン先部材は、空洞を有する導電性ゴムからなる。さらに、前記タッチペン本体は閉じた状態であたかも一本のペンであるかのように使用できるよう、両側にピンとピン穴が配置され、それを用いて左右を接合し、その接合の強度を人の指の力で軽く接合を外し、また再度接合が可能な程度のものとするためにピン穴にポリエチレン製のキャップが仕込まれていることを特徴とする。
【発明の効果】
【０００６】  本発明は従来型のタッチペンでは不可能だったピンチアウト（拡大）操作とピンチイン（縮小）操作を可能としている。これは、液晶画面を操作する際に使用する指先の機能を完全に代替しているといってよい。タブレット端末やスマートフォンといった機器がマルチタッチパネルを用いるディスプレイへ直接入力する方式を採用しているのは、直感的に操作をすることが可能であるこの入力方式を採用することで、操作を容易にしようという意図があってのものであるが、操作時に使用する指先の機能を完全に代替する本発明は、タッチパネルを操作する場合の直感性において指先で操作する場合とほぼ同等であるといえる。このため、ネイルを楽しんでいる女性や、指先の機能が衰えた高齢者等の指先で直接タッチパネルを操作することが難しい者がタッチペンを使用する際でも、本発明を使用すればタブレット端末やスマートフォン等を本来の操作性で使用することができる。
【図面の簡単な説明】
【０００７】
【図１】本発明に係るタッチペンの一実施の形態を示した斜視図
【符号の説明】
【０００８】１：親指用リング部材
２：人差し指用リング部材
３：ペン先部材
４：導電性ゴム
５：接続ピン
６：ピン穴
７：ポリエチレン製キャップ